(57)【要約】【課題】高圧タンクを用いずに、常温でも水素を簡便に発生させることが可能な水素発生方法、水素発生システムおよび燃料電池システムを提供する。【解決手段】本発明に係る水素発生方法は、（ＢＨ）ｎ（ｎ≧４）からなる二次元水素化ホウ素シートおよびその誘導体の少なくとも一方を含む水素化ホウ素含有物に光を照射することにより水素を発生させる。水素化ホウ素含有物は粉体であることが好ましく、粉体は分散媒、担持体、バインダーのいずれかに分散することが好ましい。【選択図】図２
2019218251.tif 000002
【特許請求の範囲】
【請求項１】
（ＢＨ）ｎ（ｎ≧４）からなる二次元水素化ホウ素シートおよびその誘導体の少なくとも一方を含む水素化ホウ素含有物に光を照射することにより水素を発生させる、水素発生方法。
【請求項２】
前記水素化ホウ素含有物は粉体であり、当該粉体が、
（ｉ）分散媒に分散されている、
（ｉｉ）担持体に担持されている、および
（ｉｉｉ）バインダー中に分散されている
のいずれかである請求項1に記載の水素発生方法。
【請求項３】
（ＢＨ）ｎ（ｎ≧４）からなる二次元水素化ホウ素シートおよびその誘導体の少なくとも一方を含む水素化ホウ素含有物に光を照射して水素を発生させる水素発生部と、
前記水素発生部に光を照射する光照射制御部とを備える水素発生システム。
【請求項４】
前記水素化ホウ素含有物は粉体であり、当該粉体が、
（ｉ）分散媒に分散されている、
（ｉｉ）担持体に担持されている、および
（ｉｉｉ）バインダー中に分散されている
のいずれかである請求項３に記載の水素発生システム。
【請求項５】
請求項３または４に記載の水素発生システム、および前記水素発生システムから水素が供給される燃料電池を備える燃料電池システム。
【発明の詳細な説明】
【技術分野】
【０００１】
本発明は、水素発生方法および水素発生システムに関する。また、前記水素発生システムを搭載した燃料電池システムに関する。
【背景技術】
【０００２】
水素は、燃焼又は反応により排出される物質が水であるため、クリーンエネルギーとして注目されている。例えば、水素を燃料電池の負極活物質として用い、自動車や電源設備の燃料とする技術開発が精力的にすすめられている。
【０００３】
水素供給源として高圧水素を供給するシステム（特許文献１）や、水素吸蔵合金（特許文献２）が注目され、種々の提案がなされている。また、１５０〜１２００℃に加熱することにより水素を放出する二次元水素化ホウ素シートが提案されている（非特許文献１）。
【先行技術文献】
【特許文献】
【０００４】
【特許文献１】特開２０１６−１２４７３０号公報
【特許文献２】特開２００５−０６３７０３号公報
【非特許文献】
【０００５】
【非特許文献１】Nishino, H. et al. Formation and Characterization of Hydrogen Boride Sheets Derived from MgB 2 by Cation Exchange. J. Am. Chem. Soc. 139, 13761-13769 (2017).
【発明の概要】
【発明が解決しようとする課題】
【０００６】
水素は反応性が高く爆発性があるため、高圧水素を用いる方法は、水素の充填・貯蔵等も含めて安全性に課題がある。また、水素貯蔵合金や二次元水素化ホウ素シートによる水素供給は加熱プロセスが必要であり、簡便性に課題がある。このため、市場においては、高圧タンクを用いずに、常温でも簡便に水素を供給できるシステムが求められている。
【０００７】
本発明は上記背景に鑑みてなされたものであり、高圧タンクを用いずに、常温でも水素を簡便に発生させることが可能な水素発生方法、水素発生システムおよび燃料電池システムを提供することを目的とする。
【課題を解決するための手段】
【０００８】
本発明者らが鋭意検討を重ねたところ、以下の態様において、本発明の課題を解決し得ることを見出し、本発明を完成するに至った。
［１］：  （ＢＨ）ｎ（ｎ≧４）からなる二次元水素化ホウ素シートおよびその誘導体の少なくとも一方を含む水素化ホウ素含有物に光を照射することにより水素を発生させる、水素発生方法。
［２］：  前記水素化ホウ素含有物は粉体であり、当該粉体が、
（ｉ）分散媒に分散されている、
（ｉｉ）担持体に担持されている、および
（ｉｉｉ）バインダー中に分散されている
のいずれかである［１］に記載の水素発生方法。
［３］：  （ＢＨ）ｎ（ｎ≧４）からなる二次元水素化ホウ素シートおよびその誘導体の少なくとも一方を含む水素化ホウ素含有物に光を照射して水素を発生させる水素発生部と、
前記水素発生部に光を照射する光照射制御部とを備える水素発生システム。
［４］：  前記水素化ホウ素含有物は粉体であり、当該粉体が、
（ｉ）分散媒に分散されている、
（ｉｉ）担持体に担持されている、および
（ｉｉｉ）バインダー中に分散されている
のいずれかである［３］に記載の水素発生システム。
［５］：  ［３］または［４］に記載の水素発生システム、および前記水素発生システムから水素が供給される燃料電池を備える燃料電池システム。
【発明の効果】
【０００９】
本発明によれば、高圧タンクを用いずに、常温でも水素を簡便に発生させることが可能な水素発生方法、水素発生システムおよび燃料電池システムを提供できるという優れた効果を奏する。
【図面の簡単な説明】
【００１０】
【図１】本実施形態に係る二次元水素化ホウ素シートの局所構造を示す模式図。
【図２】第１実施形態に係る水素発生システムの要部の一例を示す模式図。
【図３】第２実施形態に係る水素発生システムの要部の一例を示す模式図。
【図４】第３実施形態に係る水素発生システムの要部の一例を示す模式図。
【図５】第４実施形態に係る水素発生システムの要部の一例を示す模式図。
【図６】第５実施形態に係る水素発生システムに用いるフィルムの一例を示す模式図。
【図７】実験例１の水素化ホウ素含有物のＴＥＭ像。
【図８】実験例１の水素化ホウ素含有物のＴＥＭ像。
【図９】実験例１の水素化ホウ素含有物のＥＥＬＳプロファイルを示す図。
【図１０】実験例１の水素化ホウ素含有物のＸＰＳプロファイルを示す図。
【図１１】実験例１の水素化ホウ素含有物のＦＴ−ＩＲスペクトル。
【図１２】実験例１の水素化ホウ素含有物の吸収スペクトル。
【図１３】図１２の吸収スペクトルのタウツプロット図。
【図１４】実験例１の水素化ホウ素含有物の３次元蛍光スペクトル。
【図１５】実験例４の水素ガス放出量をプロットした図。
【図１６】実験例５の水素ガス放出量（６０分間）をプロットした図。
【図１７】実験例５の水素ガス放出量（２４時間）をプロットした図。
【図１８】実験例６の水素ガス放出量をプロットした図。
【発明を実施するための形態】
【００１１】
以下、本発明を適用した実施形態の一例について説明する。なお、本発明の趣旨に合致する限り、他の実施形態も本発明の範疇に含まれる。また、以降の図における各部材のサイズや比率は、説明の便宜上のものであり、これに限定されるものではない。
【００１２】
本実施形態の水素発生方法は、（ＢＨ）ｎ（ｎ≧４）からなる二次元水素化ホウ素シート（以下、「二次元水素化ホウ素シート」ともいう）およびその誘導体の少なくとも一方を含む水素化ホウ素含有物（以下、「水素化ホウ素含有物」ともいう）に、光を照射して水素を発生させる工程を有する。
【００１３】
光の照射条件（波長、強度、時間、照射領域等）は、下記化学式１の反応を誘起して水素を発生できる条件であればよく限定されない。
＜化学式１＞  ２ＨＢ→Ｈ２↑＋２Ｂ
照射条件により所望の水素発生量に設計することが可能である。取り扱い性の観点から、照射帯域は、紫外光（２４０〜４００ｎｍ）または／および可視光（４００ｎｍ越え、７５０ｎｍ以下）であることが好ましい。本実施形態は、常温・常圧で光照射により水素を発生できるものであるが、加熱プロセスを併用することを排除するものではない。
【００１４】
本実施形態の二次元水素化ホウ素シートは、ホウ素原子（Ｂ）と水素原子（Ｈ）がモル比で１：１の割合で形成される二次元ネットワークを有するシート状物質である（非特許文献１参照）。図１に、二次元水素化ホウ素シートの局所構造の模式図を示す。ホウ素原子が蜂の巣状のシート状の六角形格子構造を取り、シート状の上方および下方それぞれにおいて、１つの水素原子が六角形格子構造のホウ素原子のうちの隣接する２つのホウ素原子に対してブリッジ状に結合している。また、シート状の六角形格子構造を介して、その上方および下方で２つの水素原子が互いに対向する配置を有している。なお、水素化ホウ素中の水素の配置は、長距離秩序性は有していなくてもよい。
【００１５】
（ＢＨ）ｎ（ｎ≧４）からなる二次元水素化ホウ素シートおよびその誘導体の少なくとも一方を含む水素化ホウ素含有物とは、（ＢＨ）ｎ（ｎ≧４）からなる二次元水素化ホウ素シートおよびその誘導体の少なくとも一方、或いはこの水素化ホウ素およびその誘導体の少なくとも一方にドーパント等の添加剤を加えた組成物をいう。ここで、「その誘導体」とは、（ＢＨ）ｎ（ｎ≧４）からなる二次元水素化ホウ素シートを出発物質として他の元素を導入した化合物の他、二次元水素化ホウ素シートを出発物質とするか否かに関わらず、（ＢＨ）ｎ（ｎ≧４）からなる二次元水素化ホウ素シートを主骨格とする化合物（例えば、末端が酸化物により封止されている化合物）を含む。ここで主骨格とは、当該化合物中の二次元水素化ホウ素シートが含有される割合が８０％以上である物質をいう。該水素化ホウ素含有物として、二次元水素化ホウ素シートが複数枚重なった構造でも構わない。
【００１６】
化学式１を誘起する光の帯域は、水素化ホウ素含有物により異なる。水素化ホウ素含有物として二次元水素化ホウ素シートのみを用いる場合は紫外光が好ましい。二次元水素化ホウ素シートの誘導体を用いたり、二次元水素化ホウ素シートおよびその誘導体の少なくとも一方にドーパントを入れたりすることにより、水素が発生する帯域を長波長側または短波長側にシフトさせることができる。太陽光や室内光を効率的に利用する観点からは可視光により分解する水素化ホウ素含有物が好ましい。
【００１７】
前記ドーパントとして、例えば、炭素、窒素、酸素、フッ素、リン、硫黄、塩素、ヒ素、セレン、臭素、アンチモン、テルル、ヨウ素などの元素や、チタン、バナジウム、クロム、鉄、コバルト、ニッケル、銅、亜鉛、カドミウム、インジウム、スズ、イットリウム、ニオブ、モリブデンタングステン、タンタル、鉛などの金属元素、また、ルテニウム、ロジウム、パラジウム、銀、金、イリジウム、白金などの貴金属元素からなる群より選択される少なくとも一つの元素からなるドーパントを用いることができる。
【００１８】
水素化ホウ素含有物の製造方法は限定されないが、例えば、二ホウ化金属とイオン交換樹脂を極性有機溶媒中で混合する工程を経て得ることができる（非特許文献１参照）。二ホウ化金属はＭＢ２型構造であり、ＭはＡｌ，Ｍｇ，Ｔａ，Ｚｒ，Ｒｅ，Ｃｒ，ＴｉおよびＶからなる群から選択される少なくとも一種である。イオン交換樹脂には、用いる二ホウ化金属の金属イオンとイオン交換可能な官能基（イオン）が配位されているものを用いる。例えば、スルホ基、カルボキシ基等の官能基を有する、スチレンの重合体、ジビニルベンゼンの重合体およびスチレンとジビニルベンゼン等の共重合体が挙げられる。
【００１９】
二ホウ化金属としては、二ホウ化アルミニウム、二ホウ化マグネシウム、二ホウ化タンタル、二ホウ化ジルコニウム、二ホウ化レニウム、二ホウ化クロム、二ホウ化チタン、二ホウ化バナジウムが挙げられる。これらの中でも、極性有機溶媒中でイオン交換樹脂とのイオン交換容易性の観点から、二ホウ化マグネシウムが特に好ましい。極性有機溶媒は限定されないが、アセトニトリル、Ｎ，Ｎ−ジメチルホルムアミドが例示できる。
【００２０】
例えば、二ホウ化マグネシウムとスルホ基を有するイオン交換樹脂を用いる場合、極性有機溶媒中で、二ホウ化マグネシウムのマグネシウムイオンと、イオン交換樹脂のスルホ基の水素イオンとが置換することにより、水素とホウ素の組成比が１：１のシート状物質である二次元水素化ホウ素シートが得られる。この反応は、常温・常圧で進行する。
【００２１】
水素発生効率を高める観点から、本実施形態に係る水素化ホウ素含有物は粉体として用いることが好ましい。水素化ホウ素含有物の粉体は、（ｉ）気体、液体等の分散媒に分散させる、（ｉｉ）担持体に担持させる、（ｉｉｉ）樹脂等のバインダー中に分散させる、のいずれかとすることが好ましい。このようにすることにより、水素化ホウ素含有物の光照射効率を顕著に高め、水素発生量を増加させることができる。（ｉｉｉ）のバインダーに分散させる場合には、シート等の成形体を形成したり、多孔質体を形成したりすることができる。担持体やバインダー等は、光透過性であることが好ましい。粉体の形状は問わないが、単層または多層からなるシート状であることが好ましく、単層又は２〜３層のシート状であることがより好ましい。
【００２２】
本実施形態の水素発生方法によれば、高圧タンクを用いずに、常温でも水素を簡便に発生させることができる。また、水素貯蔵合金を用いる場合に比べて、格段に軽量化できる。
【００２３】
［水素発生システム］
本実施形態に係る水素発生システムは、上述した水素発生方法を利用したものであり、（ＢＨ）ｎ（ｎ≧４）からなる二次元水素化ホウ素シートおよびその誘導体の少なくとも一方を含む水素化ホウ素含有物に光を照射して、水素を発生させる水素発生部と、この水素発生部に光を照射する光照射制御部とを有する。この水素発生システムは、光照射によって水素を発生させたい用途全般に適用できる。以下、水素発生システムの具体的な実施形態の一例について説明する。各実施形態は好適に組み合わせられる。
【００２４】
（第１実施形態）
図２に、第１実施形態に係る水素発生システムの模式的説明図を示す。水素発生システム１は、水素発生部１０、光照射制御部２０を有する。水素発生部１０には、粉体供給タンク１１，溶媒供給路１２，ガス回収路１３、排出路１４が接続されており、溶媒３２に分散した水素化ホウ素含有物３１を収容する容器およびこの分散液３０を撹拌する撹拌部１５を有する。水素発生部１０には、所望のタイミングで、粉体供給タンク１１から水素化ホウ素含有物３１が、溶媒供給路１２から溶媒３２が供給されるように構成されている。
【００２５】
光照射制御部２０は、水素発生部１０内の溶媒３２に分散された水素化ホウ素含有物３１に光を所望のタイミングで照射する役割を担う。水素化ホウ素含有物３１を溶媒３２に分散させることにより、光照射される水素化ホウ素含有物３１の面積を大きくし、水素発生効率を高めることができる。光照射制御部２０は、光源と、この光源の照射制御機能を有する。光照射制御部２０に光源を内蔵させず、太陽光等の外光を用いてもよい。この場合、光照射制御部２０は外光の透過・遮光を制御する機能を有する。
【００２６】
水素発生部１０において発生した水素は、ガス回収路１３を介して捕集されるようになっている。第１実施形態に係る水素発生システム１によれば、光照射条件（照射強度、照射波長、照射時間等）や水素化ホウ素含有物の条件（量、形状等）を制御することにより、常温・常圧で発生する水素量を容易に調整できる。このため、予め貯蔵タンクに水素ガスを貯めておかずに、光照射によって水素を供給することが可能となる。無論、ガス回収路１３を介して水素貯蔵タンクに水素を貯蔵する構成とすることを排除するものではない。このような水素貯蔵タンクを設けた場合には、瞬時に水素を所望の量取り出すことができるという利点がある。
【００２７】
光照射に伴って、下記化学式１の反応が進行し、水素ガスが発生すると共に水素化ホウ素含有物から水素が脱離して副生成物が残留する。
＜化学式１＞  ２ＨＢ→Ｈ２↑＋２Ｂ
反応に伴って経時的に水素発生量が低減することを防止するため、適切なタイミングで分散液３０を入れ替える必要がある。排出された分散液３０は、濾過や遠心分離により副生成物であるホウ素含有物を回収し、溶媒は再び溶媒供給路１２に誘導して再利用できる。
【００２８】
第1実施形態に係る水素発生システムは種々の変形が可能である。例えば、水素発生部１０に分散液３０を収容する容器および撹拌部１５を設けず、流路（不図示）を設けて、分散液３０をこの流路に所望の流速で流し、これに光を照射させることにより水素を発生させる構成としてもよい。
【００２９】
第１実施形態に係る水素発生システムによれば、高圧タンクが不要であり、常温・常圧で簡便に水素を発生させることができる。しかも、光照射により水素発生を制御できるので、加熱方式に比して水素発生のオンオフ制御を瞬時に且つ簡便に行うことができる。また、水素貯蔵合金に比べて質量を大幅に低減できる。
【００３０】
（第２実施形態）
次に第１実施形態とは異なる水素発生システムの例について説明する。第２実施形態に係る水素発生システムは、分散媒として気体を用いる点において、溶媒を用いた第１実施形態と相違する。なお、以降の図において前出と同様の機能を有する要素部材は同一符号を付す。また、第１実施形態と重複する記載は適宜省略する。
【００３１】
図３に、第２実施形態に係る水素発生システムの模式的説明図を示す。水素発生システム２は、水素発生部１０、光照射制御部２０を有する。水素発生部１０には、粉体供給タンク１１，ガス回収路１３、排出路１４、ガス供給路１６等が接続されている。また、水素発生部１０は、ガス中で水素化ホウ素を舞わせて拡散させるための気流発生部１７を有する。
【００３２】
水素発生部１０には、粉体供給タンク１１を介して水素化ホウ素含有物３１が、ガス供給路１６を介して窒素ガスや不活性ガスが所望のタイミングに供給されるように構成されている。気流発生部１７は、分散媒であるガスに分散された水素化ホウ素含有物３１を水素発生部１０内で舞わせる役割を担う。
【００３３】
光照射制御部２０は、気流中で分散された水素化ホウ素含有物３１に光を所望のタイミングで照射する役割を担う。構成は第１実施形態と同様にすることができる。
【００３４】
水素発生部１０において発生した水素は、ガス回収路１３を介して捕集されるようになっている。上方置換により水素ガスを多く含むガスを回収するように構成されている。第２実施形態に係る水素発生システムによれば、光照射条件（照射強度、照射波長、照射時間等）や水素化ホウ素含有物の条件（量、形状等）を制御することにより、常温・常圧で発生する水素量を調整できる。
【００３５】
光照射に伴う化学式１の反応の進行により、水素ガスが発生すると共に水素化ホウ素含有物から水素が脱離して副生成物が得られる。このため、水素発生量が低減することを防止するため、排出路１４より適切なタイミングで残留物含有ガスを排出する。回収された残留物は、フィルターによりガスと残留物に分離して、それぞれ再利用することが可能である。
【００３６】
第２実施形態に係る水素発生システムによれば、第１実施形態と同様の効果が得られる。また、ガスを用いる方式を採用しているので、第１実施形態よりも更に軽量化を実現できる。
【００３７】
（第３実施形態）
第３実施形態に係る水素発生システムは、水素発生部１０が薄型容器からなり、光照射制御部２０の光源が水素発生部１０内に内蔵された薄型容器を用いる点において、前述までの実施形態と相違する。
【００３８】
図４に、第３実施形態に係る水素発生システムの要部の模式的説明図を示す。水素発生部１０は、薄型容器１８を複数有する。この薄型容器１８内には、光照射制御部２０のＬＥＤ光源２１が内蔵されている。水素発生部１０には、水素化ホウ素含有物が分散した分散媒を供給する供給路（不図示），ガス回収路（不図示）、分散媒の排出路（不図示）等が接続されている。分散媒は液体でも気体でもよい。
【００３９】
薄型容器１８には、所望のタイミングで、供給路から水素化ホウ素含有物を分散した分散媒が供給されるように構成されている。水素発生部１０内で分散された水素化ホウ素含有物３１に対し、水素を発生させたいタイミングでＬＥＤ光源２１から光を照射する。
【００４０】
薄型容器１８において発生した水素は、ガス回収路を介して捕集される。第３実施形態に係る水素発生システムによれば、第１実施形態と同様の効果が得られる。また、複数の薄型容器１８を併用することにより、ニーズに応じた水素ガスを発生させることができる。なお、用途によっては、ガス回収路のみを設け、供給路や排出路は設けずにディスポーザブルや交換可能なカートリッジとして用いることもできる。
【００４１】
（第４実施形態）
第４実施形態に係る水素発生システムは、担持体に水素化ホウ素含有物の粉体を担持させている点において、前述までの実施形態と相違する。
【００４２】
図５に、第４実施形態に係る水素発生システムの要部の模式的説明図の一例を示す。水素発生システム４は、照射する光に対して透過性を有するビーズ４１に粉体状の水素化ホウ素含有物３１が担持されている。水素化ホウ素含有物３１をビーズ４１に担持させた担持ビーズ４０を用いることにより、水素化ホウ素含有粉体の光照射可能な面積を増やし、光照射効率を高めることができる。
【００４３】
水素発生部１０には、担持ビーズ４０を所望の速度で移送する搬送ベルト１９があり、搬送ベルト１９に供給された担持ビーズ４０に対して所望のタイミングで光照射制御部２０を用いて光照射されるようになっている。そして、水素発生部１０において発生した水素は、ガス回収路１３を介して捕集される。搬送ベルト１９上の担持ビーズ４０は、水素発生量が低減しないよう、光照射条件と搬送ベルト１９の移送速度および担持ビーズ４０の移送量が調整されている。
【００４４】
第４実施形態に係る水素発生システムによれば、第１実施形態と同様の効果が得られる。また、装置の小型化を実現できる。なお、担持体としてビーズに代えて、粘着性シート、多孔質体、フィルム等を用いてもよい。
【００４５】
（第５実施形態）
第５実施形態に係る水素発生システムは、水素化ホウ素含有物の粉体をバインダー中に分散させている点において、前述までの実施形態と相違する。
【００４６】
図６に、第５実施形態に係る水素発生システムに用いるフィルムの模式的説明図を示す。フィルム５０は、バインダー５１中に水素化ホウ素含有物３１の粉体が分散された成形体よりなる。係る成形体は、支持体上に形成されていてもよい。水素化ホウ素含有物３１をバインダー５１に分散させることにより、所望の形状に成形することが容易になる。バインダー５１は、水素発生を妨げないよう、発泡性樹脂や多孔質体であることが好ましい。また、バインダーは光照射効率を低下させないように、照射する光に対して透過性の高い材料とすることが好ましい。
【００４７】
第５実施形態に係る水素発生システムによれば、第１実施形態と同様の効果が得られる。また、水素発生部に搭載する水素化ホウ素含有物を所望の形状に成形することが可能となる。
【００４８】
［燃料電池システム］
本実施形態に係る燃料電池システムは、公知の燃料電池に対し、水素供給源として上述した水素発生システムを搭載したものである。本実施形態に係る燃料電池によれば、高圧タンクを用いずに、常温でも簡便に燃料電池に水素を供給することができる。
【実施例】
【００４９】
実験例１：合成
非特許文献１に基づき、（ＢＨ）ｎ（ｎ≧４）からなる二次元水素化ホウ素シート （二次元水素化ホウ素シート）の合成を行った。具体的には、アセトニトリル中で、二ホウ化マグネシウム（シグマ・アルドリッチ社製）５００ｍｇと陽イオン交換樹脂（オルガノ社製）３０ｍＬを室温のもと３日間撹拌を行った。この溶液を孔径０．２μｍのフィルターで濾過し、濾液を８０℃下で減圧乾燥させることにより、黄色に呈した生成物を得た。
【００５０】
実験例２：キャラクタリゼーション
（TEM）
図７、図８に、実験例１で得た生成物の透過電子顕微鏡（JEOL社製）による形状観察結果を示す。これらの図より、実験例１で得た生成物は二次元シート状の構造を有していることを確認した。
【００５１】
（EELS）
図９に、実験例１で得た生成物の電子エネルギー損失分光を行った結果を示す。同図に示すように、炭素（C）、窒素（N）および酸素（O）に起因するピークは観測されず、ｓｐ２結合を有するホウ素（B）のみが観測されることを確認した。
【００５２】
（XPS）
図１０に、実験例１で得た生成物および原料として用いた二ホウ化マグネシウム（ＭｇＢ２）のX線光電子分光分析（分析装置：ＪＥＯＬ社製）を行った結果を示す。同図に示すように、二ホウ化マグネシウム中のホウ化物であることを示すＢ１ｓのピークは合成後も存在している。一方で原料にて観測されたマグネシウムのＭｇ２ｐのピークは、生成物から確認されなかった。この結果は、イオン交換樹脂によってマグネシウムイオンが水素イオンと交換されたことを示唆するものである。
【００５３】
（FT-IR）
図１１に、実験例１で得た生成物についてフーリエ変換赤外分光分析（分析装置：日本分光株式会社製）による結合の観測を行った結果を示す。同図より、ホウ素と水素の結合が確認された。また、生成物は、陽イオンとしての水素イオンがホウ素と結合してホウ化物となっていることが分かった。
【００５４】
実験例３：光学特性
＜UV-Vis＞
図１２に、実験例１で得た生成物について紫外可視分光分析（分析装置：日本分光株式会社製）による吸光スペクトルの観測を行った結果を示す。測定には拡散反射法を用いた。図１２の結果より、生成物は５００ｎｍ近傍から短波長の光を吸収していることが分かった。この吸収スペクトルから、物質のバンドギャップを算出するためにタウツプロットを施した結果を図１３に示す。その結果、生成物はおよそ２．８ｅＶのバンドギャップを有することが分かった。
【００５５】
＜蛍光スペクトル測定＞
図１４に、実験例１で得た生成物について、３次元蛍光スペクトル分光分析（分析装置：日立ハイテクサイエンス社製、型番：Ｆ−７０００）を行った結果を示す。同図より、生成物は、励起光３４０ｎｍで特異的に生じる４３０ｎｍの狭い蛍光と、３３０ｎｍ〜４８０ｎｍの幅広い励起光で生じる４８０ｎｍ〜５５０ｎｍの広い蛍光の、二種類の蛍光を呈することが分かった。
【００５６】
実験例４：光照射による水素放出（乾式・流通系）
実験例１で得た生成物粉末に対して、水銀キセノンランプ（林時計工業株式会社製）の光源を用いて照射した。
そして、光照射による水素ガスの分析を行った。ベースガスはアルゴンガスを用いて、流量はマスフローコントローラ―で１０ｍＬ／ｍｉｎとした。ガスの分析にはマイクロＧＣ（アジレント・テクノロジー株式会社製、４９０ＭｉｃｒｏＧＣ）を用いた。図１５に、発生した水素ガスの結果を示す。同図より、水素ガスが放出されることを確認した。
【００５７】
実験例５：光照射による水素放出（乾式・閉鎖系）
実験例１で得た生成物粉末に対して、上述した水銀キセノンランプからの光を照射し、放出された水素ガスを閉鎖型ガラスセルで捕捉した。閉鎖型ガラスセル中のベースガスは窒素ガスとし、ガス組成は実験例５と同様マイクロＧＣを用いて分析した。閉鎖型ガラスセル（幕張理化学硝子製作所製）は容積が５００ｍＬのものを用いた。光照射開始後６０分間の結果を図１６に、２４時間の結果を図１７に示す。図１６の結果より、照射開始１５分間程度は非常に速い速度で水素が放出されたことが分かった。また、図１７の結果より１２〜１６時間程度で飽和放出量に達したことが分かった。
【００５８】
実験例６：光照射による水素放出（アセトニトリル中・閉鎖系）
実験例１で得た生成物３０ｍｇをアセトニトリル３０ｍＬ中に分散させた分散液に、実験例５と同様に水銀キセノンランプを照射して放出された水素ガスの量を測定した結果を、図１８に示す。光照射の間、分散液は常に撹拌状態とした。図１８の結果より、分散状態の生成物からは、およそ一定の速さで水素が放出されることが分かった。
【符号の説明】
【００５９】
１〜５    水素発生システム
１０    水素発生部
１１    粉体供給タンク
１２    溶媒供給路
１３    ガス回収路
１４    排出路
１５    撹拌部
１６    ガス供給路
１７    気流発生部
１８    薄型容器
１９    搬送ベルト
２０    光照射制御部
２１    ＬＥＤ光源
３０    分散液
３１    水素化ホウ素含有物
３２    溶媒
４０    担持ビーズ
４１    ビーズ
５０    フィルム
５１    バインダー
【図１】
2019218251.tif 000003
【図２】
2019218251.tif 000004
【図３】
2019218251.tif 000005
【図４】
2019218251.tif 000006
【図５】
2019218251.tif 000007
【図６】
2019218251.tif 000008
【図７】
2019218251.tif 000009
【図８】
2019218251.tif 000010
【図９】
2019218251.tif 000011
【図１０】
2019218251.tif 000012
【図１１】
2019218251.tif 000013
【図１２】
2019218251.tif 000014
【図１３】
2019218251.tif 000015
【図１４】
2019218251.tif 000016
【図１５】
2019218251.tif 000017
【図１６】
2019218251.tif 000018
【図１７】
2019218251.tif 000019
【図１８】
2019218251.tif 000020